(57)【要約】【課題】デジタル放送を移動しながら受信する場合に放送エリアが変化したとしても適切な番組表を提供する。【解決手段】放送受信装置１０には、デジタル放送信号に多重化されている番組案内情報を取得する放送波番組案内情報取得部４０と、インターネット１６を通じてデジタル放送の番組案内情報を取得するインターネット番組案内情報取得部４１とが設けられている。番組案内情報合成部４３は、放送波番組案内情報取得部４０とインターネット番組案内情報取得部４１によって取得された番組案内情報を合成する。番組表作成部３８は、番組案内情報合成部４３により合成された番組案内情報（番組表）を出力部２０（ディスプレイ）において表示する。【選択図】      図１
2005294962.tif 000002
【特許請求の範囲】
【請求項１】
デジタル放送の番組案内表示を行う放送受信装置において、
デジタル放送信号に多重化されている第１の番組案内情報を取得する第１情報取得手段と、
ネットワークを通じてデジタル放送の第２の番組案内情報を取得する第２情報取得手段と、
前記第１情報取得手段と前記第２情報取得手段によって取得された第１及び第２の番組案内情報を合成する番組案内情報合成手段と、
前記番組案内情報合成手段によって合成された番組案内情報を表示する情報表示手段と
を具備したことを特徴とする放送受信装置。
【請求項２】
現在地から目的位置までの経路と前記経路上の到着予定時刻の情報を取得する経路情報取得手段と、
前記経路情報取得手段によって取得された情報が示す経路上にある放送エリアを判別する放送エリア判別手段とを有し、
前記第１情報取得手段は、前記放送エリア判別手段によって判別された現在地を含む放送エリアで受信されるデジタル放送信号から第１の番組案内情報を取得し、
前記第２情報取得手段は、前記放送エリア判別手段によって判別された現在地を含まない放送エリアにおけるデジタル放送の第２の番組案内情報を取得することを特徴とする請求項１記載の放送受信装置。
【請求項３】
前記経路情報取得手段は、前記経路上の一定間隔の地点ごとの到着予測時刻を取得し、
前記番組案内情報合成手段は、前記経路情報取得手段により取得された前記経路上の各地点の到着予測時刻に基づいて、それぞれの到着予測時刻において受信可能なデジタル放送の番組案内情報を合成することを特徴とする請求項２記載の放送受信装置。
【請求項４】
前記番組案内情報合成手段は、前記第１の番組案内情報と前記第２の番組案内情報とに、同一時間の同一番組についての情報が共通して含まれる場合に、同番組に対する情報を１つにまとめて番組案内情報を合成することを特徴とする請求項１乃至請求項３の何れかに記載の放送受信装置。
【請求項５】
前記番組案内情報合成手段は、前記第１の番組案内情報と前記第２の番組案内情報とに、同一系列局で複数の異なる番組についての情報が含まれる場合に、それぞれの番組に対する情報を含めて番組案内情報を合成することを特徴とする請求項１乃至請求項３の何れかに記載の放送受信装置。
【請求項６】
前記番組案内情報合成手段によって合成された番組案内情報においてデジタル放送を受信可能な番組と不可能な番組とを推定する推定手段を有し、
前記情報表示手段は、前記推定手段による推定結果に応じて、前記番組案内情報合成手段によって合成された番組案内情報を、受信可能な番組と不可能な番組を識別可能に表示することを特徴とする請求項１乃至請求項５の何れかに記載の放送受信装置。
【請求項７】
前記番組案内情報合成手段によって合成された番組案内情報をもとに、視聴または録画の開始時刻と対象とする番組とを予約設定する予約設定手段をさらに具備したことを特徴とする請求項１乃至請求項６の何れかに記載の放送受信装置。
【請求項８】
前記予約設定手段によって予約設定された開始時刻に、予約対象とする番組についてのデジタル放送の受信が可能であるか判別する受信判別手段と、
前記判別手段により受信が不可能と判別された場合に、予約設定された番組と同じ番組の情報が前記番組案内情報合成手段によって合成された番組案内情報に含まれているか判別する番組判別手段と、
前記番組判別手段によって当該番組の情報が含まれていると判別された場合に、当該番組を予約対象として前記予約設定手段によって設定された予約を変更する予約変更手段と
を具備したことを特徴とする請求項７記載の放送受信装置。
【請求項９】
デジタル放送の番組案内表示を行う番組案内表示方法において、
デジタル放送信号に多重化されている第１の番組案内情報と、ネットワークを通じてデジタル放送の第２の番組案内情報とを取得し、
この取得された第１及び第２の番組案内情報を合成して表示することを特徴とする番組案内表示方法。
【請求項１０】
デジタル放送の番組案内表示を行うための番組案内表示プログラムであって、
コンピュータを、
デジタル放送信号に多重化されている第１の番組案内情報を取得する第１情報取得手段と、
ネットワークを通じてデジタル放送の第２の番組案内情報を取得する第２情報取得手段と、
前記第１情報取得手段と前記第２情報取得手段によって取得された番組案内情報を合成する番組案内情報合成手段と、
前記波番組案内情報合成手段によって合成された番組案内情報を表示する情報表示手段として機能させるための番組案内表示プログラム。
【発明の詳細な説明】
【技術分野】
【０００１】
本発明は、車載用に好適なデジタル放送を受信する放送受信装置、同装置における番組案内表示方法、及び番組案内表示プログラムに関する。
【背景技術】
【０００２】
デジタル放送では、放送信号に番組案内情報、すなわち電子番組ガイド(ＥＰＧ：Electronic Program Guide)のデータが多重化されている。デジタル放送を受信する放送受信装置は、ユーザから番組案内表示が指示された場合に、番組案内情報（ＥＰＧ）をもとにして各チャンネルの放送番組を表示し、所望の番組を選択できるようになっている。
【０００３】
近年、放送受信装置を自動車などに搭載して使用することを想定し、移動に伴って番組案内表示を変更する番組案内表示方法が提案されている（例えば、特許文献１）。特許文献１に記載された番組案内表示方法は、車載テレビにおいて、目的地到達前に放送が終了する番組を容易に認識できるように、常に受信可能な番組のみを表示する番組表を作成するものである。
【特許文献１】特開２００２−３２０１６７号公報
【発明の開示】
【発明が解決しようとする課題】
【０００４】
しかしながら、特許文献１に記載された番組案内表示方法では、目的地に到着前に視聴可能な番組を容易に識別可能な番組表を作成できるものの、移動受信では放送エリアが変わることもあり、移動前に受信可能だった番組が放送開始時に視聴できなくなってしまう場合もある。このように、移動先の放送エリアが現在の放送エリアと異なってしまう場合には、ユーザに対して適切な番組表を提供することができなかった。
【０００５】
本発明の課題は、デジタル放送を移動しながら受信する場合に放送エリアが変化したとしても適切な番組表を提供することができる放送受信装置、番組案内表示方法、番組案内表示プログラムを提供することにある。
【課題を解決するための手段】
【０００６】
上記目的を達成するためにこの発明は、デジタル放送の番組案内表示を行う放送受信装置において、デジタル放送信号に多重化されている第１の番組案内情報を取得する第１情報取得手段と、ネットワークを通じてデジタル放送の第２の番組案内情報を取得する第２情報取得手段と、前記第１情報取得手段と前記第２情報取得手段によって取得された番組案内情報を合成する番組案内情報合成手段と、前記波番組案内情報合成手段によって合成された番組案内情報を表示する情報表示手段とを具備したことを特徴とする。
【発明の効果】
【０００７】
この発明によれば、デジタル放送によって番組案内情報を受信するだけでなく、ネットワークを通じても番組案内情報を受信することができるので、現在地では受信できないが移動先で受信可能となるデジタル放送による番組を含む最適な番組を作成して表示させることができる。
【発明を実施するための最良の形態】
【０００８】
以下、図面を参照して本発明の実施の形態について説明する。  
図１は、本実施形態におけるシステムの構成を示すブロック図である。
【０００９】
図１において、放送受信装置１０は、例えば自動車に搭載されて使用されるもので、放送局１２から出力されるデジタル放送波を受信して、テレビ番組等を出力する。放送受信装置１０は、デジタル放送波に多重化されている番組案内情報、すなわち電子番組ガイド(ＥＰＧ)のデータをもとにして、ユーザから番組案内表示が指示された場合に各チャンネル（放送局）の放送番組を表示し、所望の番組を選択できるようになっている。また本実施形態における放送受信装置１０は、移動通信網に収容された基地局１４との間で無線通信することが可能な機能が搭載されており、基地局１４を介してインターネット１６に接続されたサーバ１８に接続し、このサーバ１８（サイト）から各種情報を取得することができる。本実施形態では、放送受信装置１０は、放送局１２により出力されているデジタル放送についての番組案内情報を提供しているサーバ１８に接続し、このサーバ１８からインターネット１６を通じて番組案内情報を取得する。
【００１０】
また、放送受信装置１０には、ディスプレイやスピーカなどを含む出力部２０、ＧＰＳ（Global Positioning System）を利用したナビゲーション機能を提供するナビゲーション装置２２と接続されている。
【００１１】
出力部２０は、放送受信装置１０によるデジタル放送の番組表や番組コンテンツの画面表示及び音声出力の他、ナビゲーション装置２２のナビゲーション機能の実行に伴う地図や目的地へのルートをガイドする表示や音声出力に用いられる。
【００１２】
ナビゲーション装置２２は、ＧＰＳ衛星１９からの電波を受信して位置測定（緯度、経度、さらには高さ）を実行し、地図上に現在地などを表示したり、ユーザから指定された目的地までの経路を探索して地図上に表示しながらガイドしたりする機能を含むナビゲーション機能を提供する。ナビゲーション装置２２には、図示しない地図データベースが搭載されている。地図データベースには、地図の表示や経路探索するための地図データの他、地図中の各位置における住所や郵便番号、電話番号（市外局番）などの情報が含まれている。
【００１３】
ナビゲーション装置２２には、予定移動時間推定部５０、ＧＰＳ部５１、車速センサ５２が設けられている。予定移動時間推定部５０は、目的地までの経路上（例えば一定間隔の各地点）における到達予想時刻を、例えば車速センサ５２によって測定されている過去の移動速度（例えば平均速度）をもとにして算出する。ＧＰＳ部５１は、ＧＰＳ衛星１９からの電波を受信して現在地を算出する。車速センサ５２は、車両の移動速度を測定する。
【００１４】
放送受信装置１０には、放送受信部３０、番組コンテンツ取得部３２、映像再生部３４、番組コンテンツ記憶部３６、通信回線接続部３７、及び番組表作成部３８が設けられる。
【００１５】
放送受信部３０は、放送局１２から出力されるデジタル放送波を受信する。番組コンテンツ取得部３２は、放送受信部３０により受信されたデジタル放送波から番組コンテンツ（番組及び番組案内情報を含む）を抽出する。映像再生部３４は、番組コンテンツ取得部３２により抽出された番組コンテンツ（映像、音声）、あるいは番組コンテンツ記憶部３６によって記憶（録画）された番組コンテンツを出力部２０において出力させる。番組コンテンツ記憶部３６は、番組表作成部３８により作成される番組表をもとにユーザからの指示によって設定された録画予約に従って、番組コンテンツ取得部３２により抽出された番組コンテンツを記録する。通信回線接続部３７は、番組表作成部３８の制御のもとで、移動通信網に収容された基地局１４を介してインターネット１６に接続する。
【００１６】
番組表作成部３８は、番組コンテンツ取得部３２を通じてデジタル放送から取得された番組案内情報と、通信回線接続部３７によりインターネット１６を通じて取得された番組案内情報とを用いて番組表を作成しても出力部２０において出力（表示）させる。
【００１７】
番組表作成部３８には、放送波番組案内情報取得部４０、インターネット番組案内情報取得部４１、番組案内情報蓄積部４２、番組案内情報合成部４３、放送エリアデータベース４４、受信可能番組推定部４５、番組予約設定部４６の各機能が設けられている。
【００１８】
放送波番組案内情報取得部４０は、番組コンテンツ取得部３２を通じてデジタル放送からの番組案内情報を取得する。インターネット番組案内情報取得部４１は、インターネット１６を通じて番組案内情報を取得する。インターネット番組案内情報取得部４１は、サーバ１８が提供しているデジタル放送の番組案内情報が、必ずしもデジタル放送波に多重化されている番組案内情報（ＥＰＧ）と一致しない、すなわち情報のフォーマットや含まれる情報の内容が異なる場合もあるため、後述する番組案内情報合成部４３によって２つの番組案内情報を合成する際に整合が取れるように、必要とする情報を抽出するための解析を行う。
【００１９】
番組案内情報蓄積部４２は、放送波番組案内情報取得部４０及びインターネット番組案内情報取得部４１により取得された番組案内情報を蓄積する。番組案内情報合成部４３は、ナビゲーション装置２２から取得される現在地から目的位置までの経路とこの経路上の到着予定時刻の情報を利用して、番組案内情報蓄積部４２に蓄積された２つの番組案内情報を合成して、出力部２０において表示させる番組表を作成する。
【００２０】
例えば、番組案内情報合成部４３は、ナビゲーション装置２２により取得された目的地までのルート（経路）上の各地点の到着予測時刻に基づいて、それぞれの到着予測時刻において受信可能なデジタル放送の番組案内情報を合成することで、移動先で受信可能となるデジタル放送の番組を含む番組表を表示することができる。また、番組案内情報蓄積部４２には、放送波番組案内情報取得部４０とインターネット番組案内情報取得部４１により取得された番組案内情報が蓄積されている。番組案内情報合成部４３は、放送波番組案内情報取得部４０とインターネット番組案内情報取得部４１によって取得された番組案内情報とに、同一時間の同一番組についての情報が共通して含まれる場合、例えば同一系列局の異なる放送局において同じ時間帯で同じ番組を放送しているような場合には、同番組に対する情報を１つにまとめて番組案内情報を合成することで、同じ番組が番組表において２重に表示されないようにする。さらに、放送波番組案内情報取得部４０とインターネット番組案内情報取得部４１によって取得された番組案内情報とに、同一系列局で複数の異なる番組についての情報が含まれる場合、例えば同一系列局でも異なる放送局で異なる番組を放送している場合には、それぞれの番組に対する情報を含めて番組案内情報を合成することで、両方の番組を番組表において表示できるようにする。
【００２１】
放送エリアデータベース４４は、ナビゲーション装置２２から取得される情報をもとに、現在地から目的地までの走行予定ルート（経路）上にある放送エリアを判別する際に参照される。
【００２２】
図２（ａ）（ｂ）には、放送エリアデータベース４４のデータ構成の一例を示している。
【００２３】
図２（ａ）は、郵便番号とを放送エリアを示すデータとを対応付けたデータベースを示すもので、ある位置における郵便番号を取得できる場合に、この郵便番号をもとに、その位置が何れの放送エリア内であるかを判別できる。郵便番号は、所定の地域ごとに設定されているため、地域単位で放送エリアを判別できる。
【００２４】
図２（ｂ）は、位置（緯度、経度）と放送エリアとを対応付けたデータベースを示すもので、ある位置（例えば緯度、経度）を示すデータを取得できる場合に、この位置が何れの放送エリア内であるかを判別できる。図２（ｂ）に示すデータ形式では、緯度経度レベルで放送エリアを判別できるので、より精密に放送エリアを判別することができる。ただし、放送エリアデータベース４４に登録されるデータ量は多くなる。
【００２５】
受信可能番組推定部４５は、番組案内情報合成部４３によって合成された番組案内情報においてデジタル放送を受信可能な番組と不可能な番組とを推定し、番組案内情報合成部４３によって合成された番組案内情報により生成される番組表において、受信可能な番組と不可能な番組を識別可能に表示できるようにする。例えば、番組案内情報合成部４３により合成された番組案内情報において、現在地を含む放送エリアで受信できるデジタル放送の番組の他に、移動先の放送エリアで受信可能となるデジタル放送の番組を、ナビゲーション装置２２から取得される情報に基づいて推定する。
【００２６】
番組予約設定部４６は、番組案内情報合成部４３によって合成された番組案内情報をもとに、ユーザからの指示に応じて、視聴または録画の開始時刻と対象とする番組とを予約設定する。番組予約設定部４６は、放送受信装置１０を搭載する自動車の走行状況の変化（走行速度の変化、走行経路の変化など）により、番組案内情報合成部４３によって合成される番組表が変更される場合に、先に予約設定された開始時刻に、予約対象とする番組についてのデジタル放送の受信が可能であるか判別し、受信が不可能と判別された場合に、予約設定された番組と同じ番組の情報が変更後の番組案内情報に含まれているか判別し、当該番組の情報が含まれていると判別された場合に、当該番組を予約対象として予約を変更することができる。
【００２７】
なお、図示していないが、放送受信装置１０とナビゲーション装置２２に対しては、ユーザによって操作可能な入力部（例えば赤外線により通信可能なリモコン、あるいは操作本体に設けられたボタンやスイッチ、あるいはディスプレイと一体化されたタッチパネルなど）から各種の指示が入力できるものとする。
【００２８】
次に、本実施形態における放送受信装置１０の動作について説明する。  
ここでは、図３に示すような状況を想定して説明する。すなわち、放送受信装置１０を搭載した自動車により現在地から目的地まで移動しながらデジタル放送を受信して、番組コンテンツを出力（あるいは録画）するものとする。
【００２９】
現在地では、エリアＡを放送エリアとする放送局１２からのデジタル放送を受信可能であり、目的地では、エリアＢを放送エリアとする放送局１２からのデジタル放送を受信可能である。
【００３０】
図４は、放送受信装置１０による番組案内表示方法を説明するためのフローチャートである。
【００３１】
まず、ナビゲーション装置２２では、ユーザからの指示によって目的地が設定され、現在地から目的地までのルート探索の実行が指示されたものとする。ナビゲーション装置２２は、現在地から目的地までのルートを地図データベースを参照して探索する。予定移動時間推定部５０は、車速センサ５２によって測定されている過去の平均速度をもとにして、目的地までのルートを通った場合の目的地までの到着予測時間を算出する。また、予定移動時間推定部５０は、ルート上の一定間隔の地点、例えば５キロ間隔の各地点までの到着予測時間の算出する。また、ＧＰＳ部５１は、ＧＰＳ衛星１９からの信号を受信し、現在地（緯度、経度）を算出する。ナビゲーション装置２２は、出力部２０のディスプレイにおいて、地図上に現在地から目的地までのルートを表示すると共に、ＧＰＳ部５１により算出された現在地を示すマークを表示する。
【００３２】
一方、放送受信装置１０は、ナビゲーション装置２２において設定された目的地までのルートを示すルート設定情報（例えば、連続する位置情報）と、ルート上の一定間隔の各地点における到着予想時刻の情報を取得する（ステップＡ１）。
【００３３】
番組表作成部３８は、ナビゲーション装置２２から取得したルート設定情報と、放送エリアデータベース４４とを比較し、ルート上の各地点における放送エリアを検索する（ステップＡ２）。
【００３４】
例えば、図２（ａ）に示すように、郵便番号と放送エリアとが対応付けて登録されている放送エリアデータベース４４を使用する場合、ナビゲーション装置２２からは、ルートが通過する各地域の郵便番号を示すデータを含むルート設定情報が取得されるものとする。番組表作成部３８は、放送エリアデータベース４４を参照することで、ルート上の各地域の郵便番号に対応する放送エリアを取得することができる。
【００３５】
また、図２（ｂ）に示すように、位置（緯度、経度）と放送エリアとを対応付けた放送エリアデータベース４４を使用する場合、ルート設定情報の位置情報に対応する放送エリアを取得することができる。
【００３６】
ここで、目的地までのルート上のすべての地点が同じ放送エリア内にあると判断される場合は（ステップＢ３、Ｎｏ）、番組表作成部３８は、放送局１２からのデジタル放送波より取得した番組案内情報をもとにして番組表を作成し、出力部２０において表示させる（ステップＢ６）。
【００３７】
一方、目的地までのルート上に現在地が属する放送エリア以外の放送エリアがある場合、番組表作成部３８は、インターネット番組案内情報取得部４１により、現在のデジタル放送から取得できない放送エリアの番組案内情報を、通信回線接続部３７を通じてインターネット１６に接続し、当該放送エリアで放送されているデジタル放送の番組案内情報を提供しているサーバ１８（サイト）から取得する（ステップＢ４）。
【００３８】
例えば、サーバ１８は、放送受信装置１０を製造／販売しているメーカなどが運営し、デジタル放送によって取得される番組案内情報（ＥＰＧ）と同様のフォーマットにより番組案内情報が提供するようにしても良い。この場合、インターネット番組案内情報取得部４１は、予め設定された例えばＵＲＬ（uniform resource locator）に従って、インターネット１６を介してサーバ１８にアクセスし、ルート上の放送エリア（図３では放送エリアＢ）を指定し、当該放送エリアで受信可能なデジタル放送の番組案内情報を取得する。
【００３９】
また、番組案内情報を提供するサーバ１８が特定されない場合、番組表作成部３８に対して、番組案内情報の取得先とするサイトがユーザにより任意に設定できるものとする。インターネット番組案内情報取得部４１は、ユーザによる設定に応じて、インターネット１６を介してサーバ１８にアクセスし、ルート上の放送エリアを指定し、当該放送エリアで受信可能なデジタル放送の番組案内情報を取得する。この場合、インターネット番組案内情報取得部４１は、インターネット１６を経由して取得した番組案内情報に対して、自装置で必要とする情報を抽出するための解析処理を実行する。例えば、番組案内情報の提供元を任意に設定できる場合、サイト毎に番組案内情報のフォーマットや含まれる情報の内容が異なる場合もあるため、後述する番組案内情報合成部４３によって２つの番組案内情報を合成する際に整合が取れるように、番組案内情報に対して解析を施して必要とする情報のみを抽出する。
【００４０】
次に、番組案内情報合成部４３は、放送波番組案内情報取得部４０によってデジタル放送から取得した番組案内情報と、インターネット番組案内情報取得部４１によってインターネット１６を介して取得した番組案内情報とを合成して番組表を作成する（ステップＢ５）。ここでは、各時間帯において受信可能な番組情報が含まれる番組表を作成する。この際、同一系列局の番組については、到着予測時刻に合わせて、番組表中の同じ列に表示されるように合成して番組表を作成する。
【００４１】
なお、複数の放送エリアに属する地点で受信される同一系列局の番組についての情報合成については、図５に示すフローチャートに従って実行する。
【００４２】
図６には、放送エリアＡにおける、デジタル放送波から取得された番組案内情報（ＥＰＧ）の一例を示している。また、図７には、放送エリアＢにおける、インターネット１６を経由して取得された番組案内情報の一例を示している。図６及び図７では、放送エリアＡ，Ｂのそれぞれにおいて、複数の系列の放送局からの番組についての番組案内情報が含まれている。
【００４３】
なお、放送エリアＡの「○テレビ」と放送エリアＢの「○○テレビ」は同一系列（◎テレビ系列）の放送局１２からのデジタル放送を表している。同様に、「△テレビ」と「△△テレビ」とが同一系列（▽テレビ系列）、「□テレビ」と「□□テレビ」とが同一系列（◇テレビ系列）の放送局１２からのデジタル放送であるものとする。
【００４４】
図３に示すように、ナビゲーション装置２２から取得したルート設定情報から、放送エリアＢに到達する位置までの到達予想時刻がＰＭ１：００、放送エリアＡを抜ける位置までの到達予想時刻がＰＭ１：４５であることが判別されているものとする。従って、ＰＭ１：００〜ＰＭ１：４５の間は、放送エリアＡ，Ｂの両方の放送局１２からデジタル放送が受信可能な状態となる。
【００４５】
この場合、番組案内情報合成部４３は、図８（ａ）に示すように、図６と図７に示す番組案内情報を合成する。なお、図８（ｂ）は、番組案内情報に対応する受信可能エリアを説明する図であり、ＰＭ１：００〜ＰＭ１：４５の間で両方のエリアで受信可能であることを示している。
【００４６】
図８（ｂ）に示すように、同一系列局のデジタル放送については、同列で表されるように合成している。例えば▽テレビ系列では、放送エリアＡで受信可能な「△テレビ」と放送エリアＢで受信可能な「△△テレビ」の情報を同一列に合成している。◎テレビ系列と◇テレビ系列についても同様にして、それぞれの放送エリアＡ，Ｂで受信される番組の情報を同一列に合成している。
【００４７】
また、番組案内情報合成部４３は、同一系列局で放送される番組が同じ番組であるか判別する（ステップＣ１）。ここで、同一時間帯で同一の番組が放映されている場合には（ステップＣ１、Ｙｅｓ）、放送エリアＡ，Ｂの情報（番組名）を１つにして表す。例えば、▽テレビ系列の「△テレビ」と「△△テレビ」では、全ての時間帯において同じ番組を放映しているので、１つの番組案内情報に求められている。こうした合成をすることで、同じ番組が２重で表示されないようにできる。
【００４８】
一方、同一時間帯で同一の番組が放映されていない場合には（ステップＣ１、Ｎｏ）、放送される複数の番組名を視聴可能な時刻まで表示されるように合成する（ステップＣ３）。
【００４９】
図９（ａ）には、図８中の◎テレビ系列（「○テレビ」「○○テレビ」）のみを対象とした番組案内情報を示している。図９（ａ）に示すように、放送エリアＡでは、ＰＭ１：４５まで放送の受信が可能であるので、本来、ＰＭ２：３０まで放送されている番組「ａ音楽」を、ＰＭ１：４５まで視聴可能であることを表すように情報を合成する。また、放送エリアＢでは、ＰＭ１：１５から番組「ａローカルニュース」を視聴可能であるので、番組「ａ音楽」と並べて、視聴可能であることを表すように情報を合成する。
【００５０】
番組表作成部３８は、前述のようにして合成された番組案内情報に基づく番組表を、出力部２０（ディスプレイ）において表示させる。
【００５１】
このようにして、ナビゲーション装置２２から取得したルート設定情報に応じて、ルート上のそれぞれの到着予測時刻において受信可能なデジタル放送の番組案内情報を合成することで、現在受信できないが、移動先で受信可能となるデジタル放送の番組を含む番組表を表示することができる。
【００５２】
また、番組表作成部３８は、前述のようにして番組案内情報合成部４３により合成された番組案内情報をもとに、番組表において受信可能な番組と受信不可能な番組とを容易に識別可能となるように表示することもできる。
【００５３】
図１０は、番組表において受信可能な番組と受信不可能な番組とを識別可能に表示する場合の番組案内表示方法を説明するためのフローチャートである。
【００５４】
なお、図１０において、ステップＡ１〜Ａ４、Ａ７は、図４に示すステップＢ１〜Ｂ４、Ｂ６とそれぞれ対応し、同様の処理を実行するものとして詳細な説明を省略する。
【００５５】
図１１には、番組案内情報合成部４３によって合成される番組案内情報の一例を示している。図１１では、同一系列局の複数の放送局１２からのデジタル放送についての番組案内情報が並べて表示されるように合成した例である。
【００５６】
受信可能番組推定部４５は、番組案内情報合成部４３によって、図１１に示すように合成された番組案内情報について、ルート上の各地点への到着予想時刻をもとにして、視聴可能な番組と不可能な番組を推定する（ステップＡ５）。
【００５７】
図１１では、放送エリアＡにおいて受信可能な「○テレビ」については、ＰＭ１：４５まで視聴可能であると判別される。また、放送エリアＢにおいて受信可能な「○○テレビ」については、ＰＭ１：００から視聴可能であると判別される。
【００５８】
番組表作成部３８は、受信可能番組推定部４５によって判別された受信可能な番組と、受信不可能な番組に対する情報部分に対して、例えば異なる色を用いて出力部２０（ディスプレイ）において表示させる。これにより、番組表から現在地点で視聴可能な番組だけでなく、移動先において視聴可能となる番組も含めて、容易に識別することが可能となる。
【００５９】
次に、前述のようにして作成された番組案内情報（番組表）を用いて、視聴あるいは録画の予約をする場合について、図１２に示すフローチャートを参照しながら説明する。
【００６０】
例えば、視聴予約をすることで、予約された番組の放送開始時刻になると、ユーザからの操作を受け付けることなく当該番組のデジタル放送を受信して出力部２０から出力させる。また、録画予約することで、同様にして予約設定された番組（番組コンテンツ）を受信して番組コンテンツ記憶部３６によって記録する。
【００６１】
まず、番組表作成部３８は、ユーザからの予約設定要求が入力されると、番組予約設定部４６により、前述のようにして作成された番組案内情報（番組表）を出力部２０において表示させて、予約設定を受け付ける。
【００６２】
ここで表示される番組表には、現在、受信可能な放送だけでなく、移動先で受信可能となる別の放送エリア内での番組の情報も含まれているので、予め番組表で事前に確認して出発前などでも予約設定が可能である。
【００６３】
番組予約設定部４６は、番組中で予約対象とする番組が指定されると、この番組を放送している放送局（チャンネル）、番組名、及び番組の開始時刻（及び終了時刻）を示す情報を予約情報として記録しておく（ステップＤ１）。
【００６４】
ここで、自動車の走行状況の変化があった場合、例えば走行速度の変化や（渋滞などにより走行速度が遅くなる、あるいは過去の平均速度より速くなる）、走行経路が変更があった場合には、ナビゲーション装置２２から変更後のルート設定情報が受信されるため、このルート設定情報に基づいて新たに番組案内情報（番組表）が生成される（ステップＤ２）。
【００６５】
こうして、自動車の走行状況の変化により番組表が変更されると（ステップＤ２、Ｙｅｓ）、番組予約設定部４６は、変更後の番組案内情報において、先に設定されている視聴あるいは録画の予約が設定された番組について受信可能であるか判別する（ステップＤ３）。
【００６６】
ここで、予約された番組が受信可能であれば（ステップＤ３、Ｙｅｓ）、先に設定された予約について変更が不要なので処理を終了する。
【００６７】
一方、予約された番組が受信不可能である場合、番組予約設定部４６は、予約設定された放送局とは異なる他の放送エリア（他チャンネル）で、予約対象として設定されている番組が視聴可能であるかを判別する（ステップＤ４）。すなわち、予約対象として設定されている番組名と同じ番組の情報が、現時点以降を開始時刻として番組案内情報に含まれているかを判別する。
【００６８】
ここで、該当する番組が番組案内情報に含まれていない場合、すなわち視聴不可能である場合には、番組予約設定部４６は、例えば出力部２０から予約を取り消すことをユーザに通知するためのメッセージを出力させる（音声、表示）（ステップＤ６）。
【００６９】
一方、他の放送エリア（他チャンネル）で、予約対象として設定されている番組が視聴可能であれば、予約番組が視聴可能となるように、変更された番組案内情報に設定されている放送局（チャンネル）、さらには番組の開始時刻（及び終了時刻）によって予約情報を変更する（ステップＤ５）。
【００７０】
例えば、図８（ａ）に示す番組案内情報を用いて、放送エリアＢに到達することで受信可能となる「△△テレビ」（チャンネル）の番組「ｂドラマ」について予約設定をしたものとする。
【００７１】
その後、渋滞が発生したために番組「ｂドラマ」が始まるＰＭ１：００までに、放送エリアＢに到達できない状況になったものとする。このため、ナビゲーション装置２２によってルート設定情報が変更されるのに伴って番組案内情報も変更される。この結果、ＰＭ１：００から放送エリアＡにおいて「△テレビ」によって放送されている番組「ｂドラマ」が視聴可能となったものとする。この場合、番組予約設定部４６は、予約設定されていた「△△テレビ」（チャンネル）を「△テレビ」に変更することで、予約対象として設定されている番組について視聴可能とすることができる。
【００７２】
なお、図１に示す構成では、放送受信装置１０にインターネットと接続するための構成（通信回線接続部３７）が設けられるものとしているが、ナビゲーション装置２２にインターネットと接続するための構成が設けられている場合には、ナビゲーション装置２２を通じて番組案内情報を取得するようにしても良い。この場合、ナビゲーション装置２２には、番組表作成部３８からの要求に応じて、指定されたサーバ１８（サイト）にアクセスし、番組案内情報を取得する機能が追加されるものとする。番組表作成部３８は、ナビゲーション装置２２に追加された機能に対して番組案内情報の取得要求をすることで、ナビゲーション装置２２を通じて番組案内情報を得ることができる。
【００７３】
さらに、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００７４】
また、放送受信装置１０を実現するコンピュータに実行させることのできる番組案内表示プログラムを、例えば磁気ディスク（フレキシブルディスク、ハードディスク等）、光ディスク（ＣＤ−ＲＯＭ、ＤＶＤ等）、半導体メモリなどの記録媒体に書き込んで、あるいは通信媒体を通じて提供することができる。番組案内表示プログラムによりコンピュータの動作を制御することで、前述した実施形態における機能を実現することができる。
【図面の簡単な説明】
【００７５】
【図１】本発明の実施形態におけるシステムの構成を示すブロック図。
【図２】本実施形態における放送エリアデータベース４４のデータ構成の一例を示す図。
【図３】本実施形態におけるルート設定の状況を説明するための図。。
【図４】本実施形態における放送受信装置１０による番組案内表示方法を説明するためのフローチャート。
【図５】本実施形態における複数の放送エリアに属する地点で受信される同一系列局の番組についての情報合成について説明するためのフローチャート。
【図６】放送エリアＡにおけるデジタル放送波から取得された番組案内情報（ＥＰＧ）の一例を示す図。
【図７】放送エリアＢにおけるデジタル放送波から取得された番組案内情報（ＥＰＧ）の一例を示す図。
【図８】合成された番組案内情報の一例を示す図。
【図９】合成された番組案内情報の一例を示す図。
【図１０】本実施形態における番組表において受信可能な番組と受信不可能な番組とを識別可能に表示する場合の番組案内表示方法を説明するためのフローチャート。
【図１１】番組案内情報合成部４３によって合成される番組案内情報の一例を示す図。
【図１２】本実施形態における視聴あるいは録画の予約をする場合の動作について説明するためのフローチャート。
【符号の説明】
【００７６】
１０…放送受信装置、１２…放送局、１４…基地局、１６…インターネット、１８…サーバ、１９…ＧＰＳ衛星、２０…出力部、２２…ナビゲーション装置、３０…放送受信部、３２…番組コンテンツ取得部、３４…映像再生部、３６…番組コンテンツ記憶部、３８…番組表作成部、４０…放送波番組案内情報取得部、４１…インターネット番組案内情報取得部、４２…番組案内情報蓄積部、４３…番組案内情報合成部、４４…放送エリアデータベース、４５…受信可能番組推定部、４６…番組予約設定部、５０…予定移動時間推定部、５１…ＧＰＳ部、５２…車速センサ、６０…通信回線接続部。
【図１】
2005294962.tif 000003
【図２】
2005294962.tif 000004
【図３】
2005294962.tif 000005
【図４】
2005294962.tif 000006
【図５】
2005294962.tif 000007
【図６】
2005294962.tif 000008
【図７】
2005294962.tif 000009
【図８】
2005294962.tif 000010
【図９】
2005294962.tif 000011
【図１０】
2005294962.tif 000012
【図１１】
2005294962.tif 000013
【図１２】
2005294962.tif 000014